(57)【要約】【課題】オブジェクト配置の視認動作を行わずに、オブジェクトを操作可能な、遠隔操作装置、遠隔操作システム、遠隔操作方法およびプログラムを提供する。【解決手段】オブジェクトＯを表示する表示パネル１０１ａと、表示パネルの外周に沿って形成された筐体１０９と、表示パネル上でオブジェクトに対する選択操作を検出するタッチパネル１０１ｂと、検出した選択操作に応じてテレビ１０を遠隔操作するための制御部１０３（遠隔操作部）と、触感により特定可能な筐体の特徴部位１０９ａ〜１０９ｄに近接して、表示パネルにオブジェクトを表示させる制御部１０３（表示制御部）と、を備える。【選択図】図５Ａ
2011077863.tif 000002
【特許請求の範囲】
【請求項１】
オブジェクトを表示する表示パネルと、
前記表示パネルの外周に沿って形成された筐体と、
前記表示パネル上でオブジェクトに対する選択操作を検出する検出部と、
前記検出した選択操作に応じて電子機器を遠隔操作するための遠隔操作部と、
触感により特定可能な前記筐体の特徴部位に近接して、前記表示パネルにオブジェクトを表示させる表示制御部と、
を備える、遠隔操作装置。
【請求項２】
前記筐体は、多角形状の前記表示パネルの外周を縁取るように形成され、
前記筐体の特徴部位は、前記筐体の角部および／または縁部に相当する、請求項１に記載の遠隔操作装置。
【請求項３】
前記筐体は、前記表示パネルの外周に沿って形成され、
前記筐体の特徴部位は、前記筐体に設けられた凹凸部、または前記表示パネルとの接続部に設けられた凹凸部に相当する、請求項１に記載の遠隔操作装置。
【請求項４】
前記表示制御部は、前記遠隔操作装置の操作状態に応じて、前記触感により特定可能な筐体の特徴部位に近接してオブジェクトが表示されるように、前記表示パネルにオブジェクトを表示させる、請求項１に記載の遠隔操作装置。
【請求項５】
前記検出部は、前記表示パネル上で所定のジェスチャー操作を検出し、
前記遠隔操作部は、前記検出したジェスチャー操作に応じて前記電子機器を遠隔操作する、請求項１に記載の遠隔操作装置。
【請求項６】
前記遠隔操作部は、表示装置である電子機器を遠隔操作する、請求項１に記載の遠隔操作装置。
【請求項７】
遠隔操作装置と、前記遠隔操作装置により遠隔操作される電子機器を有し、
前記遠隔操作装置は、
オブジェクトを表示する表示パネルと、
前記表示パネルの外周に沿って形成された筐体と、
前記表示パネル上でオブジェクトに対する選択操作を検出する検出部と、
前記検出した選択操作に応じて電子機器を遠隔操作するための遠隔操作部と、
触感により特定可能な前記筐体の特徴部位に近接して、前記表示パネルにオブジェクトを表示させる表示制御部と、
を備える、遠隔操作システム。
【請求項８】
表示パネルの外周に沿って形成された筐体の特徴部位であって、触感により特定可能な前記特徴部位に近接して、前記表示パネルにオブジェクトを表示させるステップと、
前記表示パネル上で検出された、オブジェクトに対する選択操作に応じて、電子機器を遠隔操作するステップと、
を含む、遠隔操作方法。
【請求項９】
表示パネルの外周に沿って形成された筐体の特徴部位であって、触感により特定可能な前記特徴部位に近接して、前記表示パネルにオブジェクトを表示させるステップと、
前記表示パネル上で検出された、オブジェクトに対する選択操作に応じて、電子機器を遠隔操作するステップと、
を含む、遠隔操作方法をコンピュータに実行させるためのプログラム。
【発明の詳細な説明】
【技術分野】
【０００１】
本発明は、遠隔操作装置、遠隔操作システム、遠隔操作方法およびプログラムに関する。
【背景技術】
【０００２】
電子機器を遠隔操作するための遠隔操作装置（以下では、リモートコントローラとも称する。）として、タッチパネルディスプレイを搭載したリモートコントローラが知られている。
【０００３】
この種のリモートコントローラでは、電子機器の各処理を割当てられたアイコン等のＧＵＩオブジェクトを配置した操作画面がタッチパネルディスプレイに表示される。そして、操作画面上でオブジェクトが操作されると、操作に応じてリモートコントローラが送出する操作コマンドにより、電子機器が遠隔操作される。
【０００４】
ところで、この種のリモートコントローラでは、ハードウェアボタン操作方式のリモートコントローラとは異なり、リモートコントローラ上（操作画面上）で触感によりオブジェクトの配置を特定することができない。よって、通常、ユーザーは、オブジェクトの配置をある程度認識している場合でも、誤操作を避けるために、オブジェクトの配置を一旦視認した上で、オブジェクトを操作することになる。
【発明の概要】
【発明が解決しようとする課題】
【０００５】
このため、ユーザーは、オブジェクトの操作時に、オブジェクト配置の視認動作を課されるので、リモートコントローラの操作を不便に感じてしまう場合がある。特に、テレビ等の表示装置の遠隔操作に際して、ユーザーは、表示画面を注視したくとも、オブジェクト配置の視認動作を課されるので、リモートコントローラの操作を煩雑に感じてしまう場合がある。
【０００６】
そこで、本発明は、オブジェクト配置の視認動作を行わずに、オブジェクトを操作可能な、遠隔操作装置、遠隔操作システム、遠隔操作方法およびプログラムを提供しようとするものである。
【課題を解決するための手段】
【０００７】
本発明の第１の実施形態によれば、オブジェクトを表示する表示パネルと、表示パネルの外周に沿って形成された筐体と、表示パネル上でオブジェクトに対する選択操作を検出する検出部と、検出した選択操作に応じて電子機器を遠隔操作するための遠隔操作部と、触感により特定可能な筐体の特徴部位に近接して、表示パネルにオブジェクトを表示させる表示制御部と、を備える、遠隔操作装置が提供される。
【０００８】
かかる構成によれば、表示パネルの外周に沿って形成された筐体の特徴部位であって、触感により特定可能な特徴部位に近接して、表示パネルにオブジェクトが表示される。これにより、ユーザーは、筐体の特徴部位から得られる触感に応じて、オブジェクトの配置を特定することで、オブジェクト配置の視認動作を行わずに、オブジェクトを操作することができる。
【０００９】
また、上記筐体は、多角形状の表示パネルの外周を縁取るように形成され、筐体の特徴部位は、筐体の角部および／または縁部に相当してもよい。また、上記筐体は、表示パネルの外周に沿って形成され、筐体の特徴部位は、筐体に設けられた凹凸部、または表示パネルとの接続部に設けられた凹凸部に相当してもよい。
【００１０】
また、上記表示制御部は、遠隔操作装置の操作状態に応じて、触感により特定可能な筐体の特徴部位に近接してオブジェクトが表示されるように、表示パネルにオブジェクトを表示させてもよい。
【００１１】
また、上記検出部は、表示パネル上で所定のジェスチャー操作を検出し、遠隔操作部は、検出したジェスチャー操作に応じて電子機器を遠隔操作してもよい。
【００１２】
上記遠隔操作部は、表示装置である電子機器を遠隔操作してもよい。
【００１３】
また、本発明の第２の実施形態によれば、上記遠隔操作装置と、遠隔操作装置により遠隔操作される電子機器を有する遠隔操作システムが提供される。
【００１４】
また、本発明の第３の実施形態によれば、表示パネルの外周に沿って形成された筐体の特徴部位であって、触感により特定可能な特徴部位に近接して、表示パネルにオブジェクトを表示させるステップと、表示パネル上で検出された、オブジェクトに対する選択操作に応じて、電子機器を遠隔操作するステップと、を含む、遠隔操作方法が提供される。
【００１５】
また、本発明の第４の実施形態によれば、上記遠隔操作方法をコンピュータに実行させるためのプログラムが提供される。ここで、プログラムは、コンピュータ読取り可能な記録媒体を用いて提供されてもよく、通信手段を介して提供されてもよい。
【発明の効果】
【００１６】
以上説明したように本発明によれば、オブジェクト配置の視認動作を行わずに、オブジェクトを操作可能な、遠隔操作装置、遠隔操作システム、遠隔操作方法およびプログラムを提供することができる。
【図面の簡単な説明】
【００１７】
【図１】本発明の一実施形態に係るリモートコントローラシステムの概要を示す図である。
【図２】リモートコントローラシステムの主要な機能構成を示すブロック図である。
【図３】リモートコントローラの動作を示すフロー図である。
【図４】触感による選択操作用の操作画面の一例を示す図である。
【図５Ａ】触感による選択操作（両手操作時）の方法を示す図である。
【図５Ｂ】触感による選択操作（片手操作時）の方法を示す図である。
【図６】ジェスチャー操作用の操作画面の一例を示す図である。
【図７Ａ】ジェスチャー操作（フリック操作時）の方法を示す図である。
【図７Ｂ】ジェスチャー操作（プレス操作時）の方法を示す図である。
【図７Ｃ】ジェスチャー操作（ホールド操作時）の方法を示す図である。
【発明を実施するための形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
［１．リモートコントローラシステム］
以下では、図１および図２を参照しながら、本発明の一実施形態に係るリモートコントローラシステムについて説明する。図１は、本発明の一実施形態に係るリモートコントローラシステムの概要を示す図である。図２は、リモートコントローラシステムの主要な機能構成を示すブロック図である。
【００２０】
図１に示すように、リモートコントローラシステムは、タッチパネルディスプレイ１０１を搭載したリモートコントローラ１００と、リモートコントローラ１００を介して遠隔操作される電子機器１０を含む。なお、図１には、電子機器１０の一例として、テレビ１０が示されている。
【００２１】
リモートコントローラシステムでは、少なくともリモートコントローラ１００からテレビ１０の方向に有線または無線で通信が行われる。なお、リモートコントローラ１００−テレビ１０間の通信は、直接的に行われてもよく、不図示のネットワーク等を介して間接的に行われてもよい。
【００２２】
リモートコントローラ１００は、テレビ１０を操作するための操作画面をタッチパネルディスプレイ１０１に表示する。操作画面には、テレビ１０の各処理Ａを割当てられたオブジェクトＯが配置されている。そして、ユーザーが操作画面上でオブジェクトＯを操作すると、リモートコントローラ１００は、操作されたオブジェクトＯに対応する操作コマンドＣをテレビ１０に送信する。操作コマンドＣを受信すると、テレビ１０は、操作コマンドＣに対応する処理Ａを実行する。
【００２３】
ここで、リモートコントローラ１００には、タッチパネルディスプレイ１０１の外周に沿って筐体１０９が形成されている。また、タッチパネルディスプレイ１０１には、触感により特定可能な筐体１０９の特徴部位に近接してオブジェクトＯが表示されている。筐体１０９の特徴部位とは、手指等（操作体）による触感に応じて、リモートコントローラ１００上の位置を特定可能な構造上の特徴部位であり、筐体１０９の角部、縁部、凹凸部等を意味する。
【００２４】
これにより、ユーザーは、筐体１０９の特徴部位から得られる触感に応じて、オブジェクトＯの配置を特定することで、オブジェクト配置の視認動作を行わずに、オブジェクトＯを操作することができる。
【００２５】
図２には、リモートコントローラ１００およびテレビ１０の機能構成が示されている。リモートコントローラ１００は、タッチパネルディスプレイ１０１、制御部１０３、メモリ１０５、通信部１０７を含む。テレビ１０は、ディスプレイ１１、制御部１３、メモリ１５、通信部１７を含む。なお、図２には、本発明の一実施形態に係る主要な機能構成のみが示されている。
【００２６】
まず、リモートコントローラ１００の機能構成について説明する。タッチパネルディスプレイ１０１は、表示パネル１０１ａにタッチパネル１０１ｂ（検出部）が積層された構成を有する。表示パネル１０１ａとしては、液晶ディスプレイ（ＬＣＤ）等が利用される。タッチパネル１０１ｂとしては、抵抗膜方式、静電容量方式、超音波方式、赤外線方式等のパネルが利用される。
【００２７】
表示パネル１０１ａは、操作画面等を表示する。タッチパネル１０１ｂは、パネル面に対して行われるユーザーの手指等による操作入力を検出する。タッチパネル１０１ｂは、パネル面に対する手指等の接触状態の発生に応じて接触信号を生成し、非接触状態の発生に応じて解除信号を生成する。また、タッチパネル１０１ｂは、パネル面に接触する手指等の位置を示す位置信号を生成する。
【００２８】
制御部１０３は、ＣＰＵ、ＲＡＭ、ＲＯＭ等を含み、ＣＰＵは、ＲＡＭを作業メモリ１０５として用いて、ＲＯＭに格納されているプログラムを実行し、リモートコントローラ１００の各部を制御する。プログラムは、テレビ１０を遠隔操作するための遠隔操作部、表示パネル１０１ａの表示を制御する表示制御部等として機能する。
【００２９】
メモリ１０５は、ＥＥＰＲＯＭ等の不揮発性メモリであり、操作画面情報、操作コマンド情報、オブジェクトＯのデータ等を格納している。操作画面情報は、テレビ１０に各処理Ａを実行させるために用いられる操作画面を生成するための情報である。操作コマンド情報は、テレビ１０に各処理Ａを実行させる操作コマンドＣを生成するための情報である。
【００３０】
通信部１０７は、アンテナ１０８を介して、少なくとも操作コマンドＣをテレビ１０に送信する。なお、通信部１０７は、操作コマンドＣの送信以外に、テレビ１０に対応する操作画面情報、操作コマンド情報、テレビ１０の状態を示すステータス情報等をテレビ１０から受信することもできる。通信部１０７は、テレビ１０の通信部１７との間で、同一の通信方式により双方向の無線通信を行う。通信方式としては、例えば、ＩＥＥＥ８０２．１５．４の物理層が用いられる。
【００３１】
制御部１０７は、タッチパネル１０１ｂにより検出される手指等の接触状態に応じて、ポインティング操作、フリック操作、ドラッグ操作、プレス操作、ホールド操作等、各種の操作入力を判定する。
【００３２】
ここで、ポインティング操作は、タッチパネル１０１ｂに指等で触れる操作であり、フリック操作は、タッチパネル１０１ｂを指等で弾く操作であり、ドラッグ操作は、タッチパネル１０１ｂに沿って指等を移動させる操作である。プレス操作は、タッチパネル１０１ｂを指等で押圧する操作であり、ホールド操作は、タッチパネル１０１ｂを手の平、複数の指等、所定の面積を伴って覆う操作である。
【００３３】
ポインティング操作、フリック操作、ドラッグ操作の操作入力は、タッチパネル１０１ｂに対する指の接触／非接触、接触位置に基づいて判定される。また、プレス操作、ホールド操作は、タッチパネル１０１ｂに対する手指等の接触圧、接触面積（または近接面積）に基づいて判定される。
【００３４】
制御部１０３は、操作画面情報に基づいて操作画面を表示するように、表示パネル１０１ａを制御する。ここで、制御部１０３は、筐体１０９の特徴部位に近接してオブジェクトＯを表示するように、表示パネル１０１ａを制御する。
【００３５】
ユーザーＵが操作画面上で所望のオブジェクトＯを操作すると、制御部１０３は、操作コマンド情報に基づいて、操作されたオブジェクトＯに対応する操作コマンドＣをテレビ１０に送信するように、通信部１０７を制御する。
【００３６】
次に、テレビ１０の機能構成について説明する。ディスプレイ１１は、操作画面、コンテンツ等を表示する。制御部１３は、ＣＰＵ、ＲＡＭ、ＲＯＭ等を含み、テレビ１０の各部を制御する。メモリ１５は、ＥＥＰＲＯＭ等の不揮発性メモリであり、操作画面情報、操作コマンド情報等を格納している。
【００３７】
通信部１７は、アンテナ１８を介して、操作コマンドＣをリモートコントローラ１００から受信する。なお、通信部１７は、操作コマンドＣの受信以外に、テレビ１０に対応する操作画面情報、操作コマンド情報、テレビ１０の状態を示すステータス情報等をリモートコントローラ１００に送信することもできる。
【００３８】
制御部１３は、リモートコントローラ１００から操作コマンドＣを受信すると、操作コマンド情報に基づいて、受信した操作コマンドＣに対応する処理Ａを実行するように、各部を制御する。
【００３９】
［２．リモートコントローラシステムの動作］
以下では、図３〜図７を参照しながら、本発明の一実施形態に係るリモートコントローラシステムの動作について説明する。図３は、リモートコントローラ１００の動作を示すフロー図である。図４および図５Ａ、５Ｂは、触感による選択操作用の操作画面の一例、および選択操作の方法を各々に示す図である。図６および図７Ａ〜７Ｃは、ジェスチャー操作用の操作画面の一例、およびジェスチャー操作の方法を各々に示す図である。
【００４０】
図３には、触感による選択操作時、およびジェスチャー操作時のリモートコントローラ１００の動作手順が示されている。なお、図３では、触感による選択操作の後に、ジェスチャー操作が示されているが、両者の動作が逆に行われてもよく、いずれか一方の動作が行われてもよい。
【００４１】
以下では、基本的に、ユーザーがリモートコントローラ１００を利き手以外の手（左手）で把持して、利き手（右手）の人指し指Ｐによりリモートコントローラ１００を操作する場合について説明する。なお、人指し指Ｐ以外の指によりリモートコントローラ１００を操作する場合についても同様に説明される。
【００４２】
（２−１．触感による選択操作）
まず、触感による選択操作について説明する。図３に示すように、制御部１０３は、触感による選択操作用の操作画面を表示するように、表示パネル１０１ａを制御する（ステップＳ１０１）。ここで、オブジェクトＯは、リモートコントローラ１００の操作性を向上させるために、視認動作を伴う選択操作時に比して、相対的に大きなサイズで表示されることが望ましい。
【００４３】
図４には、操作画面の一例が示されている。操作画面の右下、左下、左上、右上の各コーナーには、「Ｍｅｎｕ」、「Ｈｏｍｅ」、「Ｂａｃｋ」、「Ｏｐｔｉｏｎ」の各オブジェクトＯ１、Ｏ２、Ｏ３、Ｏ４が配置されている。ここで、「Ｍｅｎｕ」、「Ｈｏｍｅ」、「Ｂａｃｋ」、「Ｏｐｔｉｏｎ」の各オブジェクトＯ１〜Ｏ４は、メニュー用の操作画面、起動用の操作画、直前の操作画面面、処理設定用の操作画面をテレビ１０に表示させるために操作される。
【００４４】
各オブジェクトＯ１、Ｏ２、Ｏ３、Ｏ４は、筐体１０９の右下、左下、左上、右上の各コーナー１０９ａ、１０９ｂ、１０９ｃ、１０９ｄに近接して配置されている。つまり、オブジェクトＯ１〜Ｏ４は、触感により特定可能な筐体１０９の特徴部位１０９ａ〜１０９ｄに隣接して配置されている。
【００４５】
操作画面を表示すると、制御部１０３は、ユーザーによる選択操作が検出されたかを判定する（Ｓ１０３）。ユーザーは、操作画面上で所望のオブジェクトＯを選択するために、触感による選択操作を行う。以下では、ユーザーがオブジェクトＯ１〜Ｏ４の配置をある程度認識している場合を想定する。
【００４６】
図５Ａには、触感による選択操作を両手で行う場合が示されている。図５Ａに示す例では、操作画面の右下コーナーに配置された「Ｍｅｎｕ」オブジェクトＯ１に対する選択操作が行われている。ここで、「Ｍｅｎｕ」オブジェクトＯ１は、筐体１０９の右下コーナー１０９ａに近接して配置されている。
【００４７】
ユーザーは、筐体１０９の右下コーナー１０９ａに人指し指Ｐで触れることで、筐体１０９の右下コーナー１０９ａに近接する「Ｍｅｎｕ」オブジェクトＯ１の配置を特定することができる。ここで、オブジェクト配置の特定に際しては、筐体１０９を把持する左手の触感に応じて、筐体１０９の向きを把握することも重要となる。これにより、ユーザーは、オブジェクト配置の視認動作を行わずに、テレビ１０の表示画面を注視した状態で、所望のオブジェクトを選択することができる。
【００４８】
ここで、ユーザーは、筐体１０９の右下コーナー１０９ａと操作画面の右下コーナーの距離をある程度認識していれば、ポインティング操作により操作画面の右下コーナーに人指し指Ｐを直接移動させることができる。また、ユーザーは、筐体１０９の右下コーナー１０９ａと操作画面の右下コーナーの距離を認識していなければ、ドラッグ操作により表示パネル１０１ａの中央に向けて人指し指Ｐを移動させてもよい。
【００４９】
同様に、「Ｈｏｍｅ」オブジェクトＯ２に対する選択操作を行う場合、ユーザーは、筐体１０９の左下コーナー１０９ｂに人指し指Ｐで触れることで、筐体１０９の左下コーナー１０９ｂに近接する「Ｈｏｍｅ」オブジェクトＯ２の配置を特定することができる。
【００５０】
また、「Ｂａｃｋ」オブジェクトＯ３に対する選択操作を行う場合、ユーザーは、筐体１０９の左上コーナー１０９ｃに人指し指Ｐで触れることで、筐体１０９の左上コーナー１０９ｃに近接する「Ｂａｃｋ」オブジェクトＯ３の配置を特定することができる。同様に、「Ｏｐｔｉｏｎ」オブジェクトＯ４に対する選択操作を行う場合、ユーザーは、筐体１０９の右上コーナー１０９ｄに人指し指Ｐで触れることで、筐体１０９の右上コーナー１０９ｄに近接する「Ｏｐｔｉｏｎ」オブジェクトＯ４の配置を特定することができる。
【００５１】
図５Ｂには、触感による選択操作を片手で行う場合が示されている。図５Ｂに示す例では、ユーザーがリモートコントローラ１００を利き手（右手）で把持して、利き手の親指Ｐによりリモートコントローラ１００を操作している。図５Ｂに示す例でも、操作画面の右下コーナーに配置された「Ｍｅｎｕ」オブジェクトＯ１に対する選択操作が行われている。
【００５２】
ユーザーは、筐体１０９の右下コーナー１０９ａに親指Ｐで触れることで、筐体１０９の右下コーナー１０９ａに近接する「Ｍｅｎｕ」オブジェクトＯ１の配置を特定することができる。ここで、オブジェクト配置の特定に際しては、筐体１０９を把持する手指の触感に応じて、筐体１０９の向きを把握することも重要となる。これにより、ユーザーは、オブジェクト配置の視認動作を行わずに、テレビ１０の表示画面を注視した状態で、所望のオブジェクトを選択することができる。
【００５３】
選択操作が検出されると、制御部１０３は、操作コマンド情報に基づいて、選択操作されたオブジェクトＯに対応する操作コマンドＣをテレビ１０に送信するように、通信部１０７を制御する（Ｓ１０５）。そして、テレビ１０の制御部１３は、通信部１７を介して操作コマンドＣを受信すると、操作コマンド情報に基づいて、操作コマンドＣに対応する処理Ａを実行する。
【００５４】
例えば、前述した例では、「Ｍｅｎｕ」オブジェクトＯ１に対する選択操作に応じて、制御部１０３は、メニュー用操作画面の表示処理Ａ１を実行するための操作コマンドＣ１をテレビ１０に送信するように、通信部１０７を制御する。操作コマンドＣ１を受信すると、テレビ１０の制御部１３は、操作コマンドＣに応じて、メニュー用操作画面の表示処理Ａ１を実行し、メニュー用の操作画面を表示するように、ディスプレイ１１を制御する。
【００５５】
上記説明では、筐体１０９のコーナー（角部）１０９ａ〜１０９ｄに近接してオブジェクトＯを配置する場合について説明した。しかし、筐体１０９のサイド（縁部）に近接してオブジェクトＯを配置してもよい。また、筐体１０９または筐体１０９と表示パネル１０１ａの接続部に凹凸部等を設けて、凹凸部に近接してオブジェクトＯを配置してもよい。
【００５６】
また、図５Ｂでは、筐体１０９の右下、左下、左上、右上の各コーナー１０９ａ〜１０９ｄに近接してオブジェクトＯを配置する場合について説明した。しかし、リモートコントローラ１００が片手で操作されている場合には、リモートコントローラ１００の操作性を向上させるために、リモートコントローラ１００の操作状態を判定した上で、筐体１０９の右下、左下の各コーナー１０９ａ、１０９ｂにのみ近接してオブジェクトＯを配置してもよい。
【００５７】
（ジェスチャー操作）
次に、ジェスチャー操作について説明する。図３に示すように、制御部１０３は、ジェスチャー操作用の操作画面を表示するように、表示パネル１０１ａを制御する（Ｓ１１１）。ここで、操作の対象となるオブジェクトＯは、表示画面に表示される必要がない。
【００５８】
図６には、操作画面の一例が示されている。操作画面の上部には、「Ｍｅｎｕ」、「Ｈｏｍｅ」、「Ｂａｃｋ」の各オブジェクトＯ１、Ｏ２、Ｏ３が配置されている。「Ｍｅｎｕ」、「Ｈｏｍｅ」、「Ｂａｃｋ」の各オブジェクトＯ１〜Ｏ３については、図４で説明したとおりである。
【００５９】
また、操作画面の中央部には、ジェスチャー操作を行うための操作領域ＯＡが配置されている。操作領域ＯＡでは、ユーザーによる、ポインティング操作、フリック操作、ドラッグ操作、プレス操作、ホールド操作等のジェスチャー操作が行われる。
【００６０】
操作画面を表示すると、制御部１０３は、ユーザーによるジェスチャー操作が検出されたかを判定する（Ｓ１１３）。ユーザーは、テレビ１０に実行させる処理Ａを指定するために、操作画面上で所定のジェスチャー操作を行う。ここで、オブジェクトＯに対する選択操作に代えて、所定のジェスチャー操作により処理Ａの実行が指定されるので、ユーザーは、オブジェクト配置の視認動作を行う必要がない。
【００６１】
ジェスチャー操作が検出されると、制御部１０３は、例えば、ポインティング操作、フリック操作、ドラッグ操作、プレス操作、ホールド操作等のうち、いずれの操作が行われたかを判定する（Ｓ１１５）。
【００６２】
ジェスチャー操作を判定すると、制御部１０３は、操作コマンド情報に基づいて、判定されたジェスチャー操作に対応する操作コマンドＣをテレビ１０に送信するように、通信部を制御する（Ｓ１１７）。そして、テレビ１０の制御部１３は、通信部１７を介して操作コマンドＣを受信すると、操作コマンド情報に基づいて、操作コマンドＣに対応する処理Ａを実行する。
【００６３】
図７Ａ〜７Ｃには、各種のジェスチャー操作を行う場合が示されている。図７Ａ〜７Ｃに示す例は、ディスプレイ１１に表示されているコンテンツ選択画面上で、選択カーソルＳＣを用いて、コンテンツＣｔを選択する場合を想定している。
【００６４】
図７Ａでは、操作領域ＯＡ上で右フリック操作が行われている。この場合、右フリック操作に応じて、フォーカスの右移動処理Ａ２を実行するための操作コマンドＣ２がテレビ１０に送信される。テレビ１０は、操作コマンドＣ２に応じて、フォーカスの右移動処理Ａ２を実行し、選択画面の表示を更新する。図７Ａでは、コンテンツＣｔ２からコンテンツＣｔ３へ選択カーソルＳＣが移動されている。これにより、ユーザーは、オブジェクト配置の視認動作を行わずに、テレビ１０の表示画面を注視した状態で、所望の処理Ａの実行を指定することができる。
【００６５】
図７Ｂでは、操作領域ＯＡ上でプレス操作が行われている。この場合、プレス操作に応じて、コンテンツの選択処理Ａ３を実行するための操作コマンドＣ３がテレビ１０に送信される。テレビ１０は、操作コマンドＣ３に応じて、コンテンツの選択処理Ａ３を実行し、選択画面の表示を更新する。図７Ｂでは、コンテンツＣｔ３が選択され、コンテンツＣｔ３の表示が変更されている。
【００６６】
図７Ｃでは、操作領域ＯＡ上でホールド操作が行われている。この場合、ホールド操作に応じて、コンテンツの選択キャンセル処理Ａ４を実行するための操作コマンドＣ４がテレビ１０に送信される。テレビ１０は、操作コマンドＣ４に応じて、コンテンツの選択キャンセル処理Ａ４を実行し、選択画面の表示を更新する。図７Ｃでは、コンテンツＣｔ３の選択がキャンセルされ、コンテンツＣｔ３の表示が変更されている。
【００６７】
上記説明では、リモートコントローラ１００を利き手以外の手（左手）で把持して、利き手（右手）の人指し指Ｐによりリモートコントローラ１００を操作する場合について説明した。しかし、ユーザーがリモートコントローラ１００を利き手（右手）で把持して、利き手の親指等によりリモートコントローラ１００を操作する場合についても同様に説明される。
【００６８】
［３．まとめ］
上記実施形態によれば、表示パネル１０１ａの外周に沿って形成された筐体１０９の特徴部位であって、触感により特定可能な特徴部位（例えば、筐体のコーナー１０９ａ〜１０９ｄ）に近接して、表示パネル１０１ａにオブジェクトＯが表示される。これにより、ユーザーは、筐体１０９の特徴部位から得られる触感に応じて、オブジェクトＯの配置を特定することで、オブジェクト配置の視認動作を行わずに、オブジェクトＯを操作することができる。また、ユーザーは、所定のジェスチャー操作を行うことで、オブジェクト配置の視認動作を行わずに、テレビ１０に実行させる処理Ａを指定することができる。
【００６９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７０】
例えば、上記実施形態の説明では、リモートコントローラ１００の筐体１０９が略矩形状に形成される場合について説明した。しかし、リモートコントローラ１００の筐体は、矩形以外の多角形状に形成されてもよい。この場合、筐体の角部、縁部を特徴部位とすることができる。また、リモートコントローラ１００の筐体は、多角形以外の曲面状に形成されてもよい。この場合、筐体または筐体と表示パネルの接続部に設けられた凹凸部を特徴部位とすることができる。
【００７１】
また、上記実施形態の説明では、電子機器としてテレビ１０を遠隔操作する場合について説明した。しかし、電子機器としてテレビ１０以外の表示装置、さらには表示装置以外の各種装置を遠隔操作してもよい。
【符号の説明】
【００７２】
１０    テレビ（電子機器）
１００    リモートコントローラ
１０１    タッチパネルディスプレイ
１０１ａ    表示パネル
１０１ｂ    タッチパネル
１０３    制御部
１０５    メモリ
１０７    通信部
１０９    筐体
１０９ａ〜１０９ｄ    特徴部位
【図１】
2011077863.tif 000003
【図２】
2011077863.tif 000004
【図３】
2011077863.tif 000005
【図４】
2011077863.tif 000006
【図５Ａ】
2011077863.tif 000007
【図５Ｂ】
2011077863.tif 000008
【図６】
2011077863.tif 000009
【図７Ａ】
2011077863.tif 000010
【図７Ｂ】
2011077863.tif 000011
【図７Ｃ】
2011077863.tif 000012